(57)【要約】【課題】通常の椅子の形態と、リクライニング形態との変形操作を容易にする。【解決手段】前後方向に移動可能に備えたシート３の後部に背もたれ４の下部を回動可能に連結し、該連結部３１よりも上方において背もたれ４を背もたれ受け部材１１で摺動可能に支承するものにおいて、前記背もたれ受け部材１１における背もたれ４の支承部３６，３７を、背もたれ４の起立状態において、背もたれ４の上下方向の長さの略中央部に位置するように設定する。【選択図】        図７
2005192763.tif 000002
【特許請求の範囲】
【請求項１】
前後方向に移動可能に備えたシートの後部に背もたれの下部を回動可能に連結し、該連結部よりも上方において背もたれを背もたれ受け部材で摺動可能に支承するものにおいて、前記背もたれにおける前記支承部より上部の長さを、背もたれの起立状態において、着席者が背もたれの上部を背で後方へ押すことにより、支承部を支点として着席状態でのシートを前方へ押し移動できる力が作用する長さに設定したことを特徴とする椅子。
【請求項２】
前後方向に移動可能に備えたシートの後部に背もたれの下部を回動可能に連結し、該連結部よりも上方において背もたれを背もたれ受け部材で摺動可能に支承するものにおいて、前記背もたれ受け部材における背もたれの支承部を、背もたれの起立状態において、背もたれの上下方向の長さの略中央部に位置するように設定したことを特徴とする椅子。
【請求項３】
前記背もたれにおける前記支承部より上部の長さを、背もたれの起立状態において、前記連結部から背もたれの上端までの長さの１／４〜３／５の長さに設定した請求項１又は２記載の椅子。
【請求項４】
前記支承部を、背もたれに上下方向に長い案内溝を形成し、背もたれ受け部材に、前記案内溝に摺動可能に嵌合する案内ピンを設けて形成した請求項１又は２又は３記載の椅子。
【請求項５】
前記シートの前後方向の移動位置をロックしたり、これを解除するロック手段を設けた請求項１乃至４のいずれかに記載の椅子。
【請求項６】
前記シートを水平に対して所定の角度で直線的に前後方向に移動させるようにした請求項１乃至５のいずれかに記載の椅子。
【請求項７】
前記シート側にテーブルを固設した請求項６記載の椅子。
【発明の詳細な説明】
【技術分野】
【０００１】
本発明は椅子に関する。
【背景技術】
【０００２】
従来、シートと背もたれを有する椅子において、図１４及び図１５に示すように、シート１０１を前後方向に移動可能に設け、該シート１０１の後部に、背もたれ１０２の下端を連結具１０３により回転可能に連結し、図１５に示すように、シート１０１を前方へ移動させることにより、背もたれ１０２の下部を前方へ引き移動し、背もたれ１０２の傾斜角度を大きくしてリクライニング形態に変形し、また、図１４に示すように、シート１０１を後方へ移動することにより背もたれ１０２を起立させて通常の椅子の形態に変形する椅子が知られている（特許文献１参照）。
【特許文献１】特開平１１−２９０１５０号公報
【発明の開示】
【発明が解決しようとする課題】
【０００３】
前記従来の椅子においては、シート１０１の前後方向の移動時に、背もたれ１０２の後面１０４が、椅子本体１０５の背面部１０６の上端部１０７に支承されて、該部を支承点として背もたれ１０２が傾斜したり起立するようになっており、かつ、支承点となる上端部１０７の高さが、背もたれ１０２を図１４に示すように起立させた状態において、背もたれ１０２における後面１０４の上端部付近になるように設定されている。
【０００４】
したがって、図１４の通常の椅子の形態において着席者が背で背もたれ１０２を後方へ押しても背もたれ１０２は傾斜しないため、図１４の形態からリクライニング形態に変形する場合には、着席者が腰を前方へ押し出して図１５に示すように、シート１０１を前方へ移動し、背もたれ１０２を傾斜させなければならない。
【０００５】
そのため、着席者が着席した状態でリクライニング形態に変形する操作がしずらかった。
【０００６】
そこで本発明は、通常の椅子の形態とリクライニング形態の変形操作が容易に行える椅子を提供することを目的とするものである。
【課題を解決するための手段】
【０００７】
前記の課題を解決するために、請求項１記載の発明は、後方向に移動可能に備えたシートの後部に背もたれの下部を回動可能に連結し、該連結部よりも上方において背もたれを背もたれ受け部材で摺動可能に支承するものにおいて、前記背もたれにおける前記支承部より上部の長さを、背もたれの起立状態において、着席者が背もたれの上部を背で後方へ押すことにより、支承部を支点として着席状態でのシートを前方へ押し移動できる力が作用する長さに設定したことを特徴とするものである。
【０００８】
請求項２記載の発明は、前後方向に移動可能に備えたシートの後部に背もたれの下部を回動可能に連結し、該連結部よりも上方において背もたれを背もたれ受け部材で摺動可能に支承するものにおいて、前記背もたれ受け部材における背もたれの支承部を、背もたれの起立状態において、背もたれの上下方向の長さの略中央部に位置するように設定したことを特徴とするものである。
【０００９】
請求項３記載の発明は、請求項１又は２記載の発明において、前記背もたれにおける前記支承部より上部の長さを、背もたれの起立状態において、前記連結部から背もたれの上端までの長さの１／４〜３／５の長さに設定したものである。
【００１０】
請求項４記載の発明は、請求項１又は２又は３記載の発明において、前記支承部を、背もたれに上下方向に長い案内溝を形成し、背もたれ受け部材に、前記案内溝に摺動可能に嵌合する案内ピンを設けて形成したものである。
【００１１】
請求項５記載の発明は、請求項１乃至４のいずれかに記載の発明において、前記シートの前後方向の移動位置をロックしたり、これを解除するロック手段を設けたものである。
【００１２】
請求項６記載の発明は、請求項１乃至５のいずれかに記載の発明において、前記シートを水平に対して所定の角度で直線的に前後方向に移動させるようにしたものである。
【００１３】
請求項７記載の発明は、請求項６記載の発明において、前記シート側にテーブルを固設したものである。
【発明の効果】
【００１４】
請求項１記載の発明によれば、通常の椅子の形態において、着席者が背で背もたれの上部を後方へ押すことにより、その押し力がシートを前方へ移動する力となり、リクライニング形態への変形が容易に行える。
【００１５】
請求項２記載の発明によれば、背もたれ受け部材による背もたれの支承部を、背もたれの起立状態において、背もたれの上下方向の長さの略中央部に位置するように設定したので、背もたれの起立状態からリクライニング形態にする場合に、着席者が背によって背もたれの上部に後ろ向きの力を加えると、背もたれは支承部を中心として容易に回動し、背もたれの下部によってシートに前方への押力が作用する。したがって、リクライニング形態の変形が容易に行える。
【００１６】
請求項３記載の発明のように背もたれにおける支承部より上部の長さを設定すると、背もたれを起立した通常の椅子形態での使用と、前記リクライニング形態への変形が最適に行える。
【００１７】
請求項４記載の発明によれば、背もたれの支承と背もたれの変形動作を円滑に行うことができる。
【００１８】
請求項５記載の発明によれば、シートと背もたれの所望の形態をロックして保持することができる。
【００１９】
請求項６記載の発明によれば、シートの直線的な移動と前記支承部の摺動により、リクライニングへの変形時に、シートの移動平面を変えずに、シートと背もたれとの角度を大きくし、かつ、シートの前方への移動距離を大きくして、くつろぎに適した形態にすることができる。
【００２０】
請求項７記載の発明によれば、シートの前後方向の移動においてもテーブルが、シートに対して常に所定位置で、かつ、水平に維持されるため、テーブルの機能を維持し、かつ、テーブルを常に物を取り易い状態におくことができる。
【発明を実施するための最良の形態】
【００２１】
本発明を実施するための最良の形態を図１乃至図１３に示す実施例に基づいて説明する。
【００２２】
椅子１は、本体部２とシート３と背もたれ４とヘッドレスト５とからなる。
本体部２の枠体を構成する左右の側枠６，７は所定の間隔を有して左右に配置され、前側連結材８と後側連結材９により相互に連結されている。両側枠６，７は図７に示すように、シート受部１０と、その後部に立設した背もたれ受部（背もたれ受け部材）１１とからなる。シート受部１０の上面１０ａは、後部から前方に向かって上方へ傾斜する直線の傾斜面に形成されており、該傾斜角θは、水平に対して略９°に設定されている。
【００２３】
前記左右のシート受部１０，１０を連結する前側連結材８の上面の左右部にはブラケット１２が固設され、該ブラケット１２にパイプ状の固定側案内部材１３が前後方向に向けて固設されており、該固定側案内部材１３は、その軸芯が、前記シート受部１０の上面１０ａと略平行するように、すなわち、前記θの角度に傾斜して設けられている。
【００２４】
前記左右のシート受部１０，１０間の上部にはシート用枠１４が配置され、該シート用枠１４の下側にブラケット１５が固設され、該ブラケット１５にロッドからなる可動側案内部材１６が、シート用枠１４と平行して前後方向に架設固定されている。そして、該可動側案内部材１６が前記固定側案内部材１３内に前後方向に摺動可能に挿通されている。したがって、シート用枠１４は、前記傾斜角θを保持して前後方向にスライドするようになっている。
【００２５】
前記固定側案内部材１３にはロック手段１７が設けられている。該ロック手段１７を構成する操作レバー１８の基端部１８ａは、図１０、図１１に示すように、固定側案内部材１３の軸芯と直交方向に配置されて、固定側案内部材１３に固設されたケース１３ａに回転可能に備えられ、該操作レバー１８の操作部１８ｂは、その基軸部１８ａの外側において略直交方向に立上がって形成されている。該操作部１８ｂは、図１及び図２に示すようにシート３の外側に突出して起立しており、着席者がシート３上に着席した状態で操作できるようになっている。
【００２６】
前記操作レバー１８の基軸部１８ａにおける固定側案内部材１３上に位置する部分には、丸棒からなる突部１９ａを固着した偏心カム様のストッパ１９が固設されており、また、該ストッパ１９が位置する部分の固定側案内部材１３には窓２０が形成されており、該窓２０部に押え部材２１が上下動可能に備えられている。そして、操作レバー１８の操作部１８ｂを図２、図８の鎖線のように起立させると、図１０及び図１１に示すように、ストッパ１９の突部１９ａが押え部材２１を下圧し、押え部材２１を可動側案内部材１３の外面に圧接させて、押え部材２１と可動側案内部材１３との摩擦抵抗を高め、可動側案内部材１６、すなわち、シート用枠１４を固定側案内部材１３に固定してロックするようになっている。また、操作レバー１８の操作部１８ｂを図２、図８の実線のように倒すことにより、基軸部１８ａとともにストッパ１９が回転してその突部１９ａが可動側案内部材１３から離間する方向へ回動し、押え部材２１と可動側案内部材１３との摩擦抵抗が減少し、可動側案内部材１６、すなわちシート用枠１４が前後方向にスライドできるようになっている。
【００２７】
前記押え部材２１は、固定側案内部材１３に接する部材２１ａを樹脂で形成して固定側案内部材１３との摩擦抵抗を高めるようにし、また、ストッパ１９の突部１９ａと接触する部材２１ｂを変形しないように金属板で形成している。
【００２８】
図２及び図３に示すように、前記シート用枠１４の側面には支板２２が固着されて立設され、該支板２２の上端にテーブル（サイドテーブル）２３が水平状態に固設されており、該テーブル２３がシート用枠１４とともに前後に移動するようになっている。
【００２９】
前記シート用枠１４の上面にはクッション材２４を載置し、その外面を表張材で覆ってシート３が形成されている。
【００３０】
次に背もたれ４部について説明する。
背もたれ４を構成する左右の側枠２５，２６は所定の間隔を有して左右に配置され、上部連結材２７と下部連結材２８により相互に連結されている。
【００３１】
前記シート用枠１４の後部の両側には支持腕２９（３０）が突設され、該支持腕２９（３０）に前記背もたれ４の側枠２５，２６の下部が、水平ピンからなる連結部３１（３１）により回転可能に連結されており、背もたれ４の側枠２５，２６が連結部３１を支点として前後方向に回動可能に備えられている。
【００３２】
前記背もたれ４の側枠２５，２６の内側面には、背もたれの上下方向に長い長溝からなる案内溝３２，３３が形成されている。該案内溝３２，３３は、その上端３２ａ，３３ａが側枠２５，２６の略上端部に達し、下端３２ｂ，３３ｂが側枠２５，２６の略中央部まで形成されている。
【００３３】
前記本体部２の左右の側枠６，７における背もたれ受部（背もたれ受け部材）１１の上部には，支持腕３４，３５が前方へ突出するようにして固設されている。該支持腕３４，３５は前記背もたれ４の側枠２５，２６の内側に位置するように配置されているとともに、これら支持腕３４，３５の先部には、左右方向の外側へ向かって、すなわち前記案内溝３２，３３側に向かって案内ピン３６，３７が突設されている。そして該案内ピン３６，３７は案内溝３２，３３に摺動可能に嵌合している。該案内ピン３６，３７が支承部になっている。
【００３４】
したがって、背もたれの側枠２５，２６は、案内ピン３６，３７を中心として前後方向に回動可能で、かつ、上下に移動可能に備えられている。
【００３５】
なお、前記案内溝３２，３３の下端は後方に開口しており、予め組み付けられた本体部２の支持腕３４，３５の案内ピン３６，３７を開口部３２ｃ，３３ｃから挿入して背もたれ４の側枠２５，２６を組み付けできるようになっている。
【００３６】
前記背もたれ４の側枠２５，２６における前記案内ピン（支承部）３６，３７より上部の長さＬ３は、背もたれの起立状態において、着席者が背もたれ４の上部を背で後方へ押すことにより、案内ピン３６，３７を支点として着席状態でシート３を前方へ押し移動できる力が作用する長さに設定されている。
【００３７】
実施例においては、前記案内ピン（支承部）３６，３７の位置は、背もたれ４の側枠２５，２６を図７に示すように、通常の椅子として使用するために起立させた状態において、背もたれの側枠２５，２６の上下方向の長さの略中央部に位置するように設定されている。更に、詳しくは実施例においては、背もたれの側枠２５，２６を前記のように起立させた状態において、前記連結部３１，３１から案内ピン（支承部）３６，３７までの長さＬ１が連結部３１から側枠２５，２６の上端までの長さＬ２に対して約３／５の位置に設定されている。換言すれば、案内ピン３６，３７は、側枠２５，２６の上下方向の中央Ｃから、前記長さＬ２の約１／８の長さＬ４分上方に位置している。これにより、案内ピン（支承部）３６，３７から上方へ突出する側枠２５，２６の長さＬ３は、前記長さＬ２の約２／５の長さになっている。この長さＬ３は、通常の椅子の形態において、着席者が着席した状態で背を後方へ倒すことにより、背もたれ４の上部を案内ピン（支承部）３６，３７を中心として後方へ容易に回動させて背もたれ４を容易にリクライニング姿勢に変形できる長さである。
【００３８】
前記の長さＬ３が短すぎると背もたれ４が後方へ倒れにくくなり、また、長すぎると背もたれを起こしにくくなるため、前記の長さＬ３が最良であるが、背もたれ４における前記案内ピン（支承部）３６，３７より上部の長さは、前記実施例の値に限定するものではなく、背もたれ４の起立状態において、前記連結部３１，３１から背もたれ４の上端までの長さＬ２の１／４〜３／５の長さに設定してもよい。換言すれば、案内ピン（支承部）３６，３７を、背もたれ４における連結部３１，３１から上端までの長さＬ２の１／４の長さ分背もたれ４の上端より下降した位置と、Ｌ２の３／５の長さ分背もたれ４の上端より下降した位置の範囲Ｌ５内に設けてもよい。
【００３９】
前記本体部２の側枠６，７における背もたれ受部１１の上端１１ａは、前記背もたれ４の側枠２５，２６が案内ピン３６，３７を中心として回動する際に、側枠２５，２６の回動に干渉しない位置（高さ）に設定されている。図の実施例では案内ピン３６，３７の位置よりも低い位置に設定されている。
【００４０】
前記背もたれ４の側枠２５，２６の前側にはクッション材３８を設け、その外面を表張材で覆って背もたれ４が形成されている。
【００４１】
次に、ヘッドレスト５について説明する。
ヘッドレスト５を構成する左右の側枠４０，４１は連結材４２により連結されている。左右の側枠４０，４１の下端部は、連結軸４３により前記背もたれ４の側枠２５，２６の上端部に回動可能に連結されており、側枠４０，４１、すなわちヘッドレスト５が連結軸４３を中心として前後方向に回動可能に備えられている。
【００４２】
前記ヘッドレスト５の側枠の前側にはクッション材４４を設け、その外面を表張材で覆ってヘッドレスト５が形成されている。
【００４３】
また、前記本体部の左右の側枠６，７におけるシート受部１０の上面１０ａの形状及び背もたれ受部１１の前面１１ｂの形状は、シート３と背もたれ４の動きに支障がないように形成されている。
【００４４】
次に、図１乃至図７に示す通常の椅子の形態から図８及び図９に示すリクライニング形態への変更操作について説明する。
【００４５】
図１乃至図７の状態では、シート３が後退し、かつ、シート面がθの角度を有し、更に、背もたれ４が起立状態にあり、更にヘッドレスト５も起立状態にある。この状態で操作レバー１８の操作部１８ｂを図２の鎖線のように起立させてロックをかけると、シート３と背もたれ４の動きが阻止されて図１乃至図７の形態が保持され、着席者が背もたれ４にもたれかけても背もたれ４とシート３は移動せず、通常の椅子として使用できる。また、テーブル２３はシート３の側部において水平状態に配置されている。
【００４６】
次に、前記の椅子の形態から図８及び図９に示すリクライニング形態に変形する場合について説明する。
【００４７】
図１乃至図７の形態で着席し、先ず、操作レバー１８を図２の実線の状態に倒し、ロックを解除する。
【００４８】
次に、着席者が背によって、背もたれ４における案内ピン３６，３７より上方の部分４ａに、図２の矢印Ｐで示すように後方への荷重（力）を加えると、この荷重により背もたれ４が案内ピン３６，３７を中心として、背もたれ４の上部４ａが後方へ、下部４ｂが前方へ移動するように回転する。このとき、案内ピン３６，３７を前記の位置に設定したので、前記従来のように、背もたれの上部が支点となって背もたれが傾斜するものに比べて、着席者が背を後方へ倒す動作で背もたれ４が容易に倒れ回動する。この背もたれ４の回動により、背もたれ４の案内溝３２，３３が案内ピン３６，３７に対して摺動し、背もたれ４の下部、すなわち背もたれ４とシート３との連結部３１が前方へ移動し、シート３を前方へ押し出す力がシート３に作用し、シート３が前方へ移動する。そのため、着席者の腰のみの操作でシートを前進させるものに比べて、背の後方への荷重Ｐを利用してリクライニング形態への変形が容易に行える。
【００４９】
また、前記従来の椅子に比べて背もたれ４の傾斜角を大きくすることができ、また、これによってシート３の前進量も大きくすることができるため、前記従来の椅子に比べて一層リラックスした姿勢を取ることができる。
【００５０】
また、シート３は、可動側案内部材１６が固定側案内部材１３に案内されて角度θを維持して直線的に前進する。そのため、テーブル２３は、図２の通常の椅子の状態での水平状態とシート３に対する位置を維持して前進し、シート３に対するテーブル２３の使用位置と角度が変更することなくテーブル２３の使用が可能になる。そのため、テーブル２３を常に物を取り易い位置に置くことができる。
【００５１】
そして、シート３を所望量前進させるとともに背もたれ４を傾斜させて図８及び図９に示すようにリクライニング形態にした後に、操作レバー１８の操作部１８ａを起立させて、そのリクライニング形態をロックする。なお、可動側案内部材１６のブラケット１５の後部が固定側案内部材１３の後端部に当たることにより、シート３が所定以上に前進しないようになっている。また、ヘッドレスト５は、前記背もたれ４の変形動作とは別に、独立して変形できるようになっているため、このヘッドレスト５を着席者の好みの傾斜角に変形させる。
【００５２】
次に、図８及び図９に示すリクライニング形態から図１乃至図７に示す通常の椅子に変形する場合には、図８及び図９の状態において、先ず、操作レバー１８の操作部１８ａを図８の実線のように倒してロックを解除し、次に着席者がその足を床につけて腰を後方へ動かす。これにより、シート３が後方へ移動して前記とは逆の動作により、背もたれ４が起立して通常の椅子の形態になる。そして、操作レバー１８の操作部１８ａを起立させてロックする。
【図面の簡単な説明】
【００５３】
【図１】本発明の実施例を示す椅子の形態時の斜視図。
【図２】図１の側面図。
【図３】図１における枠体を示す斜視図。
【図４】図３における支承部の斜視図。
【図５】図３における正面図。
【図６】図３における背面図。
【図７】図５におけるＡ−Ａ線側断面図。
【図８】図２の状態からリクライニング形態にした側面図。
【図９】図７の状態からリクライニング形態にした側断面図。
【図１０】可動側案内部材と固定側案内部材とロック部を示す斜視図。
【図１１】図１０における側断面図。
【図１２】図１１におけるＢ−Ｂ線断面図。
【図１３】図１０における部品の分解斜視図。
【図１４】従来構造の椅子を示す椅子の形態時の側面図。
【図１５】図１４の状態からリクライニング形態にした側面図。
【符号の説明】
【００５４】
３  シート
４  背もたれ
１１  背もたれ受け部材
１７  ロック手段
１８  操作レバー
２３  テーブル
３１  連結部
３２，３３  案内溝
３６，３７  支承部
【図１】
2005192763.tif 000003
【図２】
2005192763.tif 000004
【図３】
2005192763.tif 000005
【図４】
2005192763.tif 000006
【図５】
2005192763.tif 000007
【図６】
2005192763.tif 000008
【図７】
2005192763.tif 000009
【図８】
2005192763.tif 000010
【図９】
2005192763.tif 000011
【図１０】
2005192763.tif 000012
【図１１】
2005192763.tif 000013
【図１２】
2005192763.tif 000014
【図１３】
2005192763.tif 000015
【図１４】
2005192763.tif 000016
【図１５】
2005192763.tif 000017